(57)【要約】      （修正有）【課題】気密、防音、調湿を保つ一つの部屋で側面、天井、床に複合機能性桐板材を使用し、容易に組み立て可能で、意匠の桐板材を利用した引き戸、天井、側板、或いは床板からなっている簡易組み立て複合機能性桐板材からなる構造体を提供する。【解決手段】部屋面積として１〜２畳の広さで、桐木材の通し柱２と梁の横架材５を、仕口、ホゾにより接合し、天井に桐垂木を構成する構造体であって、４本の通し柱、４本の鴨居柱３、４本の敷居柱４によって簡単に組み立てができ、構造体の各角状桐柱木材間に中空羊毛入り複合機能性桐板材１を組み立て式に嵌めこみ、幅７００〜９５０ｍｍ、高さ１２００〜１５００ｍｍの片側型引き戸７を、構造体の側周囲の１〜２面に取り付け、それ以外の床面、側面、天井面に複合機能性桐板材を気密的接合できるように両側に凹部と凸部を取り付けて嵌め込み式に構成した複合機能性桐板材からなる構造体である。【選択図】図１
0003218854.tif 000002
【実用新案登録請求の範囲】
【請求項１】
部屋面積として１〜２畳の広さで、桐木材の通し柱と梁の横架材を、仕口面でのホゾにより接合し、天井に二重の桐スノコ状格子を構成する構造体であって、通し柱４〜８本、梁柱２本、桁柱２本、鴨居柱２〜４本、敷居柱４本によって簡単に組み立てできて、前記構造体の各角状桐柱木材間に中空に複合羊毛−ポリエステル混紡、又は羊毛、又は綿入り複合機能性桐板材を組み立て式嵌めこみ、幅８００〜１０００ｍｍ、高さ１２００〜１５００ｍｍの片側型引き戸、又は開き戸を、構造体の側周囲の１〜２面に取り付け、それ以外の床面、側面、天井面に前記複合機能性桐板材を気密状態で接合できるように両側に凹部と凸部を取り付けて嵌め込み式に構成されていることを特徴とする複合機能性桐板材からなる構造体。
【請求項２】
前記構造体の組み立てにおいて、仕口、ホゾ、ホゾ穴を持つ桐材の通し柱、及び梁柱、及び桁柱、及び鴨居柱、及び敷居柱、及び溝入り鴨居柱、及び溝入り敷居柱によって簡単に組み立てできて、通し柱の太さは６０〜１００ｍｍ、長さ１５００〜２０００ｍｍの桐角材で、梁柱、及び桁柱、及び鴨居柱、及び溝入鴨居柱は、太さ６０〜１００ｍｍ、長さ９００〜２０００ｍｍで、鴨居柱と敷居柱の間に複合機能性桐板材入り片側型引き戸１〜２個を嵌め込みできる１０〜４０ｍｍ幅の溝部を、柱の上下に鴨居と敷居と、柱の中間部に複合機能性桐板材の固定用桟板とを嵌めもめるような仕口を持っていることを特徴とする請求項１に記載の複合機能性桐板材からなる構造体。
【請求項３】
遮音、調湿、断熱部品として利用でいる前記複合機能性桐板材は、構成する桐材板を使用した桐の組板の中空構成体にして、前記構成体の底板上面の長手方向の右端と左端に側板を立設し、両側板の向かい合う面同士の間の底板上面に間仕切を立設して、各板の構成によって形成した桐の組板の構成体である中空タイプ構造の内部に軽量的断熱・調湿材を充填し、両側板の上面に帯状の天板を設けた、桐の組板の構成体である中空タイプ構成状態にして、桐材板を使用した桐の組板の中空構成体は、厚さ３０ｍｍ〜７０ｍｍで、使用している桐材板の厚さを１０ｍｍ〜２０ｍｍであって、当該構成体の幅１００〜５００ｍｍ、厚さ３０〜７０ｍｍ、長さ３００〜２０００ｍｍの平厚板状で、前記平厚板の両側面にそれぞれ凹部と凸部を取り付けてあることを特徴とする請求項１、又は請求項２に記載の複合機能性桐板材からなる構造体。
【請求項４】
複合機能性桐板材の底板上面の長手方向の右端と左端に側板の立設と、両側板の向かい合う面同士の間の底板上面に間仕切の立設とにおいて、桐材板の厚さに対して、間仕切りの間隔を５０ｍｍ〜３００ｍｍにして、桐材の組板の中空内部に充填する軽量的断熱・調湿材は、比重０．８以下の複合羊毛−ポリエステル混紡、羊毛、綿から選ばれたものであって、桐の組板でできている機能性桐板材の内部に緻密に充填できる仕切り板を設置した仕切構造になっていることを特徴とする請求項１〜請求項３のいずれかに記載の複合機能性桐板材からなる構造体。
【請求項５】
前記構造体の部屋内面積として１〜２畳であって、床は前記複合機能性桐板材の構成体を敷きしめ、上面に日本式の畳敷き、又は茣蓙敷き、或いは内部にベッド、デスクであって、前記構造体の周囲の１〜２面に複合機能性桐板材を使用した片側型引き戸、開き戸にして、天井に二枚のスノコ状の桐板を取り付けて、二枚の前記桐板をスライドさせて隙間による明暗調整ができるようなスライド式明かり調整具にして、残りの面はすべて前記複合機能性桐板材を、柱間、及び枠体間に嵌め込み、組み立てられて構成される構造体内にて、静寂雰囲気で日本式作法の茶道、華道、書道、及び仮眠的睡眠、及び精神統一できる静寂気分、及び音楽の練習、演奏を実施できる広さの静寂気密部屋になっていることを特徴とする請求項１〜請求項４のいずれかに記載の複合機能性桐板材からなる構造体。
【請求項６】
前記複合機能性桐板材の基本ユニットで構成される構造体は、通し柱４〜８本、梁柱２本、桁柱２本、鴨居柱２〜４本、敷居柱４本によって簡単に組み立てできて、前記組み立て骨格枠柱に片側型引き戸、及び天井に設置固定した縦のフレーム状枠材と、それに横のフレーム状枠材を組み立てられた正方形枠体内、又は長方形枠体内に前記ユニットを、組み立て、および取り外しを容易にした、嵌め込め式構造になっていることを特徴とする請求項１〜請求項５のいずれかに記載の複合機能性桐板材からなる構造体。
【考案の詳細な説明】
【技術分野】
【０００１】本考案は、静寂雰囲気で茶道、華道、書道などの日本式作法、及び仮眠的睡眠、及び精神統一できる静寂気分状態、及び音楽の個人練習、演奏ができる、気密、防音、調湿を保つ一つの部屋で側面、天井、床に複合機能性桐板材を使用した構造体に関し、容易に組み立て可能で、意匠の桐板材利用した引き戸、或いは天井、或いは側板，或いは床板からなっている簡易組み立て複合機能性桐板材からなる構造体に関する。
【背景技術】
【０００２】保温効果が高く且つ、健康の維持及び増進を図ることができる温暖室において、部屋部と、部屋部の室内を加温するヒータとを備える温暖室において、室内の床及び天井は桐材で構成し、室内の側壁は桐材と珪藻土材で構成するようにした。珪藻土と石灰とパルプ材とを主成分とし、これらの成分にマイナスイオン水が混入される珪藻土材は桐材を下地材としたパネル体が提案されている（特許文献１参照）。【０００３】負帯電分子発生装置および負帯電分子発生構成部材から選ばれた少なくとも１種を用いることにより、ある一定量以上のマイナスイオンに満たされた癒し効果や、身体の代謝活性効果を奏する部屋を提供するにおいて、部屋は、竹または桐または茶葉の植物系粉末である負帯電分子発生構成部材から選ばれた少なくとも１種からなる部屋であって、該部屋の空気中の負帯電分子の数が、２５０個／ｃｃ以上存在せしめられている。負帯電分子発生構成部材から選ばれた少なくとも１種を用いることで、ある一定量以上のマイナスイオンに満たされることにより、癒し効果や、身体の代謝活性効果を期待できる部屋を提供することが提案されている。（特許文献２参照）。【０００４】敷布団が水分を吸収しても速やかに吸収水分を取り除け、常時乾燥状態での利用を可能とし、また、有毒物質の吸収やマイナスイオン発生効果等を併せ持ち、部屋の雰囲気の改善を図ることで、接触可能面を構成する複数の小孔の配設された上部板である桐板材と、桐板材より所定距離離間した下部に配設される通気性を有する小孔の配設された底部部材と、底部部材下面が生活空間の床より所定距離離間して通気層を形成する足部材と、底部部材と桐板材間に配置された活性炭袋とで構成され、桐板材は周囲側枠の上部、凸部の上に開閉自在に載置されていることが提案されている（特許文献３参照）。【０００５】  家屋の壁面または床面若しくは天井面に対して張設するための桐板製内装材に関するものであって、桐材が奏する吸湿性、保温性に基づき快適なる部屋空間がかもしだされると同時に、改修時の利用に際して、既存の壁材、床材、天井材の上から直接張設することが出来るようにしたもので、桐の一枚板を所定の幅及び長さに裁断して形成した内装材主体の下面に、既存の床材または壁材若しくは天井材に対する密着性阻止と空気流通路形成のためのスペーサーを点在させるように構成した内装材が提案されている（特許文献４参照）。【０００６】日本的様式をもって、木製の格子状基本ユニットを格子棒にて中心部に万字模様を持つ障子型戸、天井で囲まれた部屋で簡単に組み立てられている構造体を形成して、しかも格子組子になった意匠性組子模様の障子型戸・天井で囲まれた組み立て構造物で、部屋面積として２畳〜８畳の広さで、木材の通し柱と梁の横架材を、仕口、ホゾにより接合し、天井に垂木を構成する構造体であって、通し柱４〜８本、内障子（溝レール入）鴨居柱４〜８本、溝レール入敷居柱４〜８本によって簡単に組み立てできて、木材製角状格子で内部に万字模様で仕立てた組子体からなる障子型戸を、構造体の側周囲の２〜４面に、天井に一辺４００〜１０００ｍｍの正方体、又は長方体の格子組子で構成された枠体を縦横二方向に４〜１６組を嵌め込んで形成され���いる簡易組み立て組子枠体からなる構造体が提案されている（特許文献５参照）。【０００７】紙のように薄い薄板を構成要素としたユニット板で多層化された断熱遮音板が設けられ、季節の変化によって変形しない多層ユニット板で構成されていて、空気層が設けられており、僅かな種類の大きさのユニット板によって、通常使用される障子が作られ、全厚の厚いユニット板を手軽に着脱でき、簡単に拭き掃除ができるとともに、障子の骨組と断熱遮音板との間は、埃の溜まらない密着構成となっており、障子の骨組と骨組との間は、斑なく明るく、意匠的選択性とインテリア性に優れているうえ、容易に障子の丈が調節できるものが提案されている（特許文献６参照）。【０００８】桐材を使用した部屋としてで製作された壁面の一部は、よく知られており、また桐材入りの、戸も存在しているが、固定的に設置されているものであり、これら桐材の複合機能性桐板材によって、戸、或は天井、壁面を持つ部屋構造で、簡易組み立てできる構造体は全く存在しない。またホテル、博物館などの広いロビーなどに設置した展示物とした置物については存在していない。
【先行技術文献】
【特許文献】
【０００９】
【特許文献１】特開２００４−４９７２７号公報
【特許文献２】特開２００３−１０３３６号公報
【特許文献３】特開２００１−１３７２９３号公報
【特許文献４】実用新案登録第３００３７０２号公報
【特許文献５】実用新案登録第３２０５２２１号公報
【特許文献６】特開平７−２３８７４８号公報
【考案の概要】
【考案が解決しようとする課題】
【００１０】一般に桐材は、有毒物質の吸収やマイナスイオン発生効果等を併せ持ち、部屋の雰囲気の改善を図ることが知られている。上記の桐木材製の複合機能性桐板材からなる部屋は、静寂雰囲気で茶道、華道、書道などの日本式作法、及び仮眠的睡眠、及び精神統一できる静寂気分状態、及び音楽の練習、演奏ができる、気密、防音、調湿を保つ一つの部屋で、容易に組み立て可能で、意匠の桐板材利用した引き戸、或いは天井、或いは側板，或いは床板からなっている簡易組み立て複合機能性桐板材からなる構造体が求められている。【００１１】上記の構造体は、床、天井・壁面ユニットと部分的に取り付けられているが、これら複合機能性桐板材の製作にて大量生産にはほど遠い状況にあった。即ち、複合機能性桐板材の材料の適正化などの吟味並びに木工での大工工事に高度な技術と熟練を必要とすること。天然木素材の欠点として反り、腐食、カビ等が発生すること。桐材の工作出来る職人は長期間の奉公による修行が必要であるため熟練工が少なくなり、従って製品が高価であること。内枠は無垢で重く、取扱いにくいこと。内枠は外枠を含めた一体物であるため大形品となり取扱にくいことが上げられる。【００１２】また大部屋、或いはホールの装飾と特殊機能として、床、天井、壁面に複合機能性桐板材の構造体を取り付けているが、マイナスイオン発生効果等を持つ桐材の部屋は、仮眠的睡眠、及び精神統一できる静寂気分状態になる部屋を構成してものが期待されている。室内のデザインが、益々多様に高度化されつつ、それ等に負けない様により魅力的な桐材の自然体の意匠性のものを移動して組み立てられる場所が求められている。そこで、本考案の目的は、部屋として複合機能性桐板材の構造体に、床面、側面、天井面を取り付けられる組み立て式構造体を構成して、既存のものに比べてより魅力的に、個性的にデザインされた精神的雰囲気をもたらせる部屋的構造体を提供するにある。【００１３】本考案は、上述のような課題に対処すべく鋭意検討の結果、提案するに至ったもので、複合機能性桐板材の構造体で、戸、床或は天井を持つ部屋構造で、取り外しが容易で、簡単に組み立てが可能である複合機能性桐板材の構造体、及び天井に嵌め込み結合することにより、一つの部屋として設置できる構造体を、大形で、しかも比較的安価に大量生産が可能な意匠性組子模様の簡易組み立て複合機能性桐板材からなる構造体を提供することを目的とするものである。
【課題を解決するための手段】
【００１４】部屋面積として１〜２畳の広さで、桐木材の通し柱と梁の横架材を、仕口、ホゾにより接合し、天井に桐垂木を構成する構造体であって、通し柱４〜８本、梁柱２本、桁柱２本、鴨居柱２〜４本、敷居柱４本によって簡単に組み立てできて、前記構造体の各角状桐柱木材間に中空に複合羊毛−ポリエステル混紡、又は羊毛、又は綿入り複合機能性桐板材を組み立て式嵌めこみ、幅８００〜１０００ｍｍ、高さ１２００〜１５００ｍｍの片側型引き戸、又は開き戸を、構造体の側周囲の１〜２面に取り付け、それ以外の床面、側面、天井面に前記複合機能性桐板材を気密状態で接合できるように両側に凹部と凸部を取り付けて嵌め込み式に構成されている複合機能性桐板材からなる構造体である。【００１５】前記構造体の組み立てにおいて、仕口、ホゾ、ホゾ穴を持つ桐材の通し柱、及び梁柱、及び桁柱、及び鴨居柱、及び敷居柱、及び溝入り鴨居柱、及び溝入り敷居柱によって簡単に組み立てできて、通し柱の太さは７０〜１００ｍｍ、長さ１５００〜２０００ｍｍの桐角材で、梁柱、及び桁柱、及び鴨居柱、及び溝入鴨居柱は、太さ６０〜１００ｍｍ、長さ９００〜２０００ｍｍで、鴨居柱と敷居柱の間に複合機能性桐板材入り片側型引き戸１〜２個を嵌め込みできる１０〜４０ｍｍ幅の溝部を、柱の上下に鴨居と敷居と、柱の中間部に複合機能性桐板材の固定用桟板とを嵌めもめるような仕口を持っている。【００１６】遮音、調湿、断熱部品として利用でいる前記複合機能性桐板材は、構成する桐材板を使用した桐の組板の中空構成体にして、前記構成体の底板上面の長手方向の右端と左端に側板を立設し、両側板の向かい合う面同士の間の底板上面に間仕切を立設して、各板の構成によって形成した桐の組板の構成体である中空タイプ構造の内部に軽量的断熱・調湿材を充填し、両側板の上面に帯状の天板を設けた、桐の組板の構成体である中空タイプ構成状態にして、桐材板を使用した桐の組板の中空構成体は、厚さ３０ｍｍ〜７０ｍｍで、使用している桐材板の厚さを１０ｍｍ〜２０ｍｍであって、当該構成体の幅１００〜５００ｍｍ、厚さ３０〜７０ｍｍ、長さ３００〜２０００ｍｍの平厚板状で、前記平厚板の両側面にそれぞれ凹部と凸部を取り付けてある。【００１７】複合機能性桐板材の底板上面の長手方向の右端と左端に側板の立設と、両側板の向かい合う面同士の間の底板上面に間仕切の立設とにおいて、桐材板の厚さに対して、間仕切りの間隔を５０ｍｍ〜２５０ｍｍにして、桐材の組板の中空内部に充填する軽量的断熱・調湿材は、比重０．８以下の複合羊毛−ポリエステル混紡、羊毛、綿から選ばれたものであって、桐の組板でできている機能性桐板材の内部に充填することを容易にした仕切り板により仕切板入り構造になっている。【００１８】前記構造体の部屋内面積として１〜２畳であって、床は前記複合機能性桐板材の構成体を敷きしめ、上面に日本式の畳敷き、又は茣蓙敷き、或いは内部にベッド、デスクであって、前記構造体の周囲の１〜２面に複合機能性桐板材を使用した片側型引き戸、開き戸にして、天井に二枚のスノコ状目空の桐板を取り付けて、二枚の前記桐板をスライドさせて隙間による明暗調整ができるようなスライド式明かり調整具にして、残りの面はすべて前記複合機能性桐板材を、柱間、及び枠体間に嵌め込み、組み立てられて構成される構造体内にて、静寂雰囲気で日本式作法の茶道、華道、書道、及び仮眠的睡眠、及び精神統一できる静寂気分、及び音楽の練習、演奏を実施できる広さの静寂気密部屋になっている。【００１９】前記複合機能性桐板材の基本ユニットで構成される構造体は、通し柱４〜８本、梁柱２本、桁柱２本、鴨居柱２〜４本、敷居柱４本によって簡単に組み立てできて、前記組み立て骨格枠柱に片側型引き戸、及び天井に設置固定した縦のフレーム状枠材と、それに横のフレーム状枠材を組み立てられた正方形枠体内、又は長方形枠体内に前記ユニットを、組み立て、および取り外しを容易にした、嵌め込め式構造になっている。
【考案の効果】
【００２０】気密、防音、調湿を保つ一つの部屋で側面、天井、床に複合機能性桐板材を使用した構造体においてマイナスイオン発生効果によって、静寂雰囲気で茶道、華道、書道などの日本式作法、及び仮眠的睡眠、及び精神統一できる静寂気分状態、及び音楽の練習、演奏ができる、またこの構造体が、容易に組み立て可能で、意匠の桐板材利用した引き戸、或いは天井、或いは側板，或いは床板からなっている簡易組み立て複合機能性桐板材からなる構造体となった。【００２１】本考案に係る簡易組み立て複合機能性桐板材からなる構造体は、一つの部屋として設置できる構造物として、桐材の表面で内観、外観的には自由なデザインが任意に形成でき、天井、壁面を複合機能性桐板材による部屋は、更に桐木材の耐火性、防菌性、調湿性の材料使用しているために、安全な部屋として木の香りをもたらすとともに、災害時にシェルターの役目もあり、さらに部屋内で精神的に落ち着いた気持ちと雰囲気になった。茶道、華道に落ち着いた様相になった。またホテル、あるいは博物館などの公共設備における広いロビーに日本的様式を示す展示物として、或はイベントなどに使用することができた。【００２２】このように本考案によれば、簡易組み立て複合機能性桐板材からなる構造体は、簡単に戸、天井、壁面に嵌め込んで、部屋の装飾を完成させることができて、組立構造部材は、種々の組子の既製品の組み立てをおこなって生産できるので、軽量・品質に保証できて、多用途パネル材が適切に得られる。また組み立て、解体が容易で、搬送も簡易であるので、ホテルのロビーなどの室内において、展示物として、あるいはイベント会場として、種々の場所に設置が可能である。
【図面の簡単な説明】
【００２３】
【図１】本考案の簡易組み立て複合機能性桐板材からなる構造体を示す斜視図である。
【図２】本考案の複合機能性桐板材の構造体の状態を示す図である。Ａ：平面構造  Ｃ：正面構造
【図３】本考案の複合機能性桐板材の構造体の天井構造を示す図である。Ａ：全閉図  Ｂ：半開図  Ｃ：全開図
【図４】本考案の複合機能性桐板材の構造体の引き戸の例を示す図である。
【図５】本考案の複合機能性桐板材からなる構造体の柱類の接合・取り付け状態を示す図である。Ａ：通し柱と敷居柱との接合、Ｂ：床板と敷居柱の接合  Ｃ：鴨居柱と通し柱と敷居柱の接合
【図６】本考案簡易組み立て複合機能性桐板材からなる構造体の部品組み立てを示す図である。Ａ：通し柱と敷居柱と複合機能性桐板材との接合状態図、Ｂ：複合機能性桐板材の断面図
【図７】本考案の簡易組み立て組子枠体からなる構造体を使用している外観状態と内観状態を示す斜視図である。
【考案を実施するための形態】
【００２４】部屋面積として１〜２畳の広さで、桐木材の通し柱と梁の横架材を、仕口面での、ホゾにより接合し、天井に二重の桐スノコ状格子を構成する構造体であって、通し柱４本、鴨居柱４本、敷居柱４本によって簡単に組み立てできて、前記構造体の各角状桐柱木材間に中空羊毛入り複合機能性桐板材を組み立て式嵌めこみ、片側型引き戸を、構造体の側周囲の１〜２面に取り付け、それ以外の床面、側面、天井面に前記複合機能性桐板材を気密的接合できるように両側に凹部と凸部を取り付けて嵌め込み式に構成されている複合機能性桐板材からなる構造体である。
【実施例１】
【００２５】図１に示すような構造体の組み立てにおいて、図４に示すように仕口でホゾ、ホゾ穴を持つ桐材の通し柱、及び鴨居柱、及び敷居柱、及び溝レール入り鴨居柱、及び溝レール入り敷居柱によって簡単に組み立てできて、通し柱の太さは９０ｍｍ、長さ１８００ｍｍの桐角材で、鴨居柱、及び溝レール入鴨居柱は、太さ９０ｍｍ、長さ１４００ｍｍと１８００ｍｍ二種類と、敷居柱、及び溝レール入り敷居柱は、太さ９０ｍｍ、長さ１４００ｍｍと１８００ｍｍで、鴨居柱と敷居柱の間に複合機能性桐板材入り片側型引き戸１個を嵌め込みできる３５ｍｍ幅の溝レール部を、柱の上下に鴨居と敷居と、柱の中間部に複合機能性桐板材の固定する梁板と桁板に通して嵌めもめるようにした。【００２６】防音、調湿、断熱部品として利用でいる前記複合機能性桐板材は、構成する桐材板を使用した桐の組板の中空構成体にして、前記構成体の底板上面の長手方向の右端と左端に側板を立設し、両側板の向かい合う面同士の間の底板上面に間仕切を立設して、各板の構成によって形成した桐の組板の構成体である中空タイプ構造の内部に軽量的断熱・調湿材を充填し、両側板の上面に帯状の天板を設けた、桐の組板の構成体である中空タイプ構成状態にして、桐材板を使用した桐の組板の中空構成体は、厚さ３０ｍｍで、使用している桐材板の厚さを１０ｍｍであって、当該構成体の幅２００ｍｍ、厚さ３０ｍｍ、長さ１４００ｍｍと１８００ｍｍの二種類の平厚板状で、前記平厚板の両側面にそれぞれ凹部と凸部を取り付けた。組み立ては図６のＡで示すようにおこなった。【００２７】図６のＢに示すように、複合機能性桐板材の底板上面の長手方向の右端と左端に側板の立設と、両側板の向かいに間仕切の立設とにおいて、桐材板の厚さに対して、間仕切りの間隔を２５０ｍｍにして、桐材の組板の中空内部に充填する軽量的断熱・調湿材は、複合羊毛−ポリエステル混紡であって、桐の組板でできている機能性桐板材の内部に充填することを容易にした仕切り板にした構造にした。【００２８】前記複合機能性桐板材の基本ユニットで構成される構造体は、図５に示すように、それぞれに、通し柱４本、梁柱２本、桁柱２本、鴨居柱４本、敷居柱４本によって簡単に組み立てできて、前記組み立て骨格枠柱に片側型引き戸、及び天井に設置固定した縦のフレーム状枠材と、それに横のフレーム状枠材を組み立てられた略正方形枠体内に前記ユニットを、組み立て、および取り外しを容易にした、嵌め込め式構造になった。【００２９】前記構造体の部屋内面積として１畳半であって、床は前記複合機能性桐板材の構成体を敷きしめ、内部にベッド、デスクであって、図４に示すように前記構造体の周囲の１面に複合機能性桐板材を使用した片側型引き戸にして、また図３に示すように、天井に二枚のスノコ状の桐板を取り付けて、二枚の前記桐板をスライドさせて隙間による明暗調整ができるようなスライド式明かり調整具にして、残りの面はすべて前記複合機能性桐板材を、各柱間、及び鴨居柱と敷居柱との間に嵌め込み、組み立てられて構成される構造体内にて、図７のような静寂雰囲気で茶道、華道、書道、及び仮眠的睡眠、及び精神統一できる静寂気分となる場所となった。
【実施例２】
【００３０】実施例１と同様に、構造体の組み立てにおいて、図４に示すように仕口でホゾ、ホゾ穴を持つ桐材の通し柱、及び鴨居柱、及び敷居柱、及び溝レール入り鴨居柱、及び溝レール入り敷居柱によって簡単に組み立てできて、通し柱の太さは１００ｍｍ、長さ１８００ｍｍの桐角材で、鴨居柱、及び溝レール入鴨居柱は、太さ９０ｍｍ、長さ１８００ｍｍと、敷居柱、及び溝レール入り敷居柱は、太さ９０ｍｍ、長さ１８００ｍｍで、鴨居柱と敷居柱の間に複合機能性桐板材入り片側型引き戸１個を嵌め込みできる３５ｍｍ幅の溝レール部を、柱の上下に鴨居と敷居と、柱の中間部に複合機能性桐板材の固定する梁板と桁板に通して嵌めもめるようにした。【００３１】防音、調湿、断熱部品として利用でいる前記複合機能性桐板材は、構成する桐材板を使用した桐の組板の中空構成体にして、前記構成体の底板上面の長手方向の右端と左端に側板を立設し、両側板の向かい合う面同士の間の底板上面に間仕切を立設して、各板の構成によって形成した桐の組板の構成体である中空タイプ構造の内部に軽量的断熱・調湿材を充填し、両側板の上面に帯状の天板を設けた、桐の組板の構成体である中空タイプ構成状態にして、桐材板を使用した桐の組板の中空構成体は、厚さ３５ｍｍで、使用している桐材板の厚さを１０ｍｍであって、当該構成体の幅２５０ｍｍ、厚さ３５ｍｍ、長さ１８００ｍｍの平厚板状で、前記平厚板の両側面にそれぞれ凹部と凸部を取り付けた。組み立ては図６のＡで示すようにおこなった。【００３２】図６のＢに示すように、複合機能性桐板材の底板上面の長手方向の右端と左端に側板の立設と、両側板の向かいに間仕切の立設とにおいて、桐材板の厚さに対して、間仕切りの間隔を３００ｍｍにして、桐材の組板の中空内部に充填する軽量的断熱・調湿材は、複合羊毛−ポリエステル混紡であって、桐の組板でできている機能性桐板材の内部に充填することを容易にした仕切り板にした構造にした。【００３３】前記複合機能性桐板材の基本ユニットで構成される構造体は、図５に示すように、それぞれに、通し柱４本、梁柱２本、桁柱２本、鴨居柱４本、敷居柱４本によって簡単に組み立てできて、前記組み立て骨格枠柱に片側型引き戸、及び天井に設置固定した縦のフレーム状枠材と、それに横のフレーム状枠材を組み立てられた略正方形枠体内に前記ユニットを、組み立て、および取り外しを容易にした、嵌め込め式構造になった。【００３４】前記構造体の部屋内面積として２畳であって、床は前記複合機能性桐板材の構成体を敷きしめ、内部にベッド、デスクであって、図４に示すように前記構造体の周囲の１面に複合機能性桐板材を使用した片側型引き戸にして、また図３に示すように、天井に二枚のスノコ状の桐板を取り付けて、二枚の前記桐板をスライドさせて隙間による明暗調整ができるようなスライド式明かり調整具にして、残りの面はすべて前記複合機能性桐板材を、各柱間、及び鴨居柱と敷居柱との間に嵌め込み、組み立てられて構成される構造体内にて、図７に示すような静寂雰囲気で茶道、華道、書道、及び仮眠的睡眠、及び精神統一できる静寂気分となる場所となった。
【符号の説明】
【００３５】１．  複合機能性桐板材
２．  通し柱
３．  鴨居柱
４．  敷居柱
５．  梁柱
６．  桁柱
７．  引き戸
８．  スノコ状格子天井
９．  鴨居溝
１０．敷居溝
１１．床
１２．蟻組（オス）
１３．蟻組（メス）
１４．ホゾ
１５．ホゾ穴
１６．凸部である実（さね）
１７．凹部である実溝
１８．複合羊毛―ポリエステル混紡、又は羊毛
１９．閉じ部．
２０．開き部
２１．引き戸の引手
【図１】
0003218854.tif 000003
【図２】
0003218854.tif 000004
【図３】
0003218854.tif 000005
【図４】
0003218854.tif 000006
【図５】
0003218854.tif 000007
【図６】
0003218854.tif 000008
【図７】
0003218854.tif 000009
【手続補正書】
【提出日】平成30年7月17日(2018.7.17)
【手続補正１】
【補正対象書類名】実用新案登録請求の範囲
【補正対象項目名】全文
【補正方法】変更
【補正の内容】
【実用新案登録請求の範囲】
【請求項１】
部屋面積として１〜２畳の広さで、桐木材である通し柱と梁柱の横架材と桁柱の縦架材とを、仕口面でのホゾにより接合し、天井に二重の桐スノコ状格子を構成した構造体であって、前記構造体の各角に立設さられた通し柱４本の上部に掛ける梁柱２本と桁柱２本、及び各通し柱の下部に敷いた敷居柱４本によって簡単に組み立てできて、前記構造体の骨格である各通し柱の間に桐板材二枚合わせの中間空洞部に複合羊毛−ポリエステル混紡、又は羊毛、又は綿を充填した複合機能性桐板材を敷き込み、構造体の周囲４面中の１〜２面に幅８００〜１０００ｍｍ、高さ１２００〜１５００ｍｍの片側型引き戸、又は開き戸を取り付け、床面、側面には前記複合機能性桐板材の両側面にそれぞれ凹部と凸部の嵌め込み形状をもたせて、気密状態での嵌め込み組み立て構造に仕上げていることを特徴とする複合機能性桐板材からなる構造体。
【請求項２】
前記構造体の組み立てにおいて、仕口、ホゾ、ホゾ穴を持つ桐材の通し柱、及び梁柱、及び桁柱、及び鴨居柱、及び敷居柱、及び溝入り鴨居柱、及び溝入り敷居柱によって簡単に組み立てできて、通し柱の太さは６０〜１００ｍｍ、長さ１５００〜２０００ｍｍの桐角材で、梁柱、及び桁柱、及び鴨居柱、及び溝入鴨居柱は、太さ６０〜１００ｍｍ、長さ９００〜２０００ｍｍで、鴨居柱と敷居柱の間に前記複合機能性桐板材入り片側型引き戸１〜２個を嵌め込みできる１０〜４０ｍｍ幅の溝部に、構造体の上下の鴨居柱と敷居柱と、通し柱の中間部に複合機能性桐板材の固定用桟板とを嵌めもめるような仕口を持っていることを特徴とする請求項１に記載の複合機能性桐板材からなる構造体。
【請求項３】
遮音、調湿、断熱部品として利用でいる前記複合機能性桐板材は、構成する桐材板を使用した桐の組板の桐板材二枚合わせの中間空洞部を持つ中空構成体にして、前記構成体の底板上面の長手方向の右端と左端に側板を立設し、両側板の向かい合う面同士の間の底板上面に間仕切を立設して、各板の構成によって形成した桐の組板の構成体である中空タイプ構造の内部に軽量的断熱・調湿材を充填し、両側板の上面に帯状の天板を設けた、桐の組板の構成体である中空タイプ構成状態にして、桐材板を使用した桐の組板の中空構成体は、厚さ３０ｍｍ〜７０ｍｍで、使用している桐材板の厚さを１０ｍｍ〜２０ｍｍであって、当該構成体の幅１００〜５００ｍｍ、厚さ３０〜７０ｍｍ、長さ３００〜２０００ｍｍの平厚板状で、前記平厚板の両側面にそれぞれ凹部と凸部を取り付けてあることを特徴とする請求項１、又は請求項２に記載の複合機能性桐板材からなる構造体。
【請求項４】
複合機能性桐板材の底板上面の長手方向の右端と左端に側板の立設と、両側板の向かい合う面同士の間の底板上面に間仕切の立設とにおいて、桐材板の厚さに対して、間仕切りの間隔を５０ｍｍ〜３００ｍｍにして、桐材の組板の中空内部に充填する軽量的断熱・調湿材は、比重０．８以下の複合羊毛−ポリエステル混紡、羊毛、綿から選ばれたものであって、桐の組板でできている機能性桐板材の内部に緻密に充填できる仕切り板を設置した仕切構造になっていることを特徴とする請求項１〜請求項３のいずれかに記載の複合機能性桐板材からなる構造体。
【請求項５】
前記構造体の部屋内面積として１〜２畳であって、床は前記複合機能性桐板材の構成体を敷きしめ、上面に日本式の畳敷き、又は茣蓙敷き、或いは内部にベッド、デスクであって、前記構造体の周囲の１〜２面に複合機能性桐板材を使用した片側型引き戸、開き戸にして、天井に二枚のスノコ状の桐板を取り付けて、二枚の前記桐板をスライドさせて隙間による明暗調整ができるようなスライド式明かり調整具にして、残りの面はすべて前記複合機能性桐板材を、柱間、及び枠体間に嵌め込み、組み立てられて構成される構造体内にて、静寂雰囲気で日本式作法の茶道、華道、書道、及び仮眠的睡眠、及び精神統一できる静寂気分、及び音楽の練習、演奏を実施できる広さの静寂気密部屋になっていることを特徴とする請求項１〜請求項４のいずれかに記載の複合機能性桐板材からなる構造体。
【請求項６】
前記複合機能性桐板材である基本ユニットで構成される構造体は、通し柱４本、梁柱２本、桁柱２本、鴨居柱２〜４本、敷居柱４本によって簡単に組み立てできて、通し柱４本、梁柱２本で組み立てた骨格的枠柱間に片側型引き戸、及び天井面に固定された縦の桁柱のフレーム状枠材と、それに横の梁柱のフレーム状枠材を仕口でのホゾとホゾ穴で組み立てられた正方形枠体、或は長方形枠体を前記複合機能性桐板材ユニットによって、容易に組み立て、或は取り外しを可能にした嵌め込め式組み立て構造になっていることを特徴とする請求項１〜請求項５のいずれかに記載の複合機能性桐板材からなる構造体。
【手続補正２】
【補正対象書類名】明細書
【補正対象項目名】００１４
【補正方法】変更
【補正の内容】
【００１４】部屋面積として１〜２畳の広さで、桐木材である通し柱と梁柱の横架材と桁柱の縦架材を、仕口面でのホゾにより接合し、天井に二重の桐スノコ状格子を構成した構造体であって、前記構造体の各角に立設さられた通し柱４本の上部に掛ける梁柱２本と桁柱２本、及び各通し柱の下部に敷いた敷居柱４本によって簡単に組み立てできて、前記構造体の骨格である各通し柱の間に桐板材二枚合わせの中間空洞部に複合羊毛−ポリエステル混紡、又は羊毛、又は綿を充填した複合機能性桐板材を敷き込み、構造体の周囲４面中の１〜２面に幅８００〜１０００ｍｍ、高さ１２００〜１５００ｍｍの片側型引き戸、又は開き戸を取り付け、床面、側面には前記複合機能性桐板材の両側面にそれぞれ凹部と凸部の嵌め込み形状をもたせて、気密状態での嵌め込み組み立て構造に仕上げている複合機能性桐板材からなる構造体である。
【手続補正３】
【補正対象書類名】明細書
【補正対象項目名】００１９
【補正方法】変更
【補正の内容】
【００１９】前記複合機能性桐板材である基本ユニットで構成される構造体は、通し柱４本、梁柱２本、桁柱２本、鴨居柱２〜４本、敷居柱４本によって簡単に組み立てできて、通し柱４本、梁柱２本で組み立てた骨格的枠柱間に片側型引き戸、及び天井面に固定された縦の桁柱のフレーム状枠材と、それに横の梁柱のフレーム状枠材を仕口でのホゾとホゾ穴で組み立てられた正方形枠体、或は長方形枠体を前記複合機能性桐板材ユニットによって、容易に組み立て、或は取り外しを可能にした嵌め込め式組み立て構造になっている。